(57)【要約】      （修正有）【課題】トイレの設置場所に設けられ、錘と設置壁面とのスペースが小さくても不具合なく動作可能とし、施工上の不具合の発生を極力防止する防臭弁装置を提供する。【解決手段】防臭弁装置は、便器と立管とを接続する継手２と、継手２の下部に設けられ、立管内の悪臭などが外部に漏れることを抑制する弁体７とを備える。インクリーザー継手２は、便器を接続する上筒状部３と、この上筒状部３の下端に設けられ、下方に絞るよう円錐状をなす円錐部４と、この円錐部４の下端に設けられ上筒状部３より小径で、下面が開口５Ａした下筒状部５とよりなり、弁体７は、下筒状部５の下面開口５Ａを閉塞するための閉塞部７Ａを有し、弁体支持軸８にて揺動可能に取り付けられ、この弁体７の弁体支持軸８を挟んで閉塞部７Ａとは反対側に、揺動可能に取り付けられ、弁体７の開閉動作に伴い上下方向に移動する錘９とを備える。【選択図】図１
0003231662.tif 000002
【実用新案登録請求の範囲】
【請求項１】
トイレの設置場所に設けられ、便器と立管とを接続する継手と、該継手の下部に設けられ、立管内の悪臭などが外部に漏れることを抑制する弁体とを備える防臭弁装置において、
前記継手は、便器を接続する上筒状部と、
該上筒状部の下端に設けられ、下方に絞るよう円錐状をなす円錐部と、
該円錐部の下端に設けられ前記上筒状部より小径で、下面が開口した下筒状部とよりなり、
該下筒状部の下面開口を閉塞するための閉塞部を有し、支持軸にて揺動可能に取り付けられた弁体と、
該弁体の支持軸を挟んで閉塞部とは反対側に、揺動可能に取り付けられ、弁体の開閉動作に伴い上下方向に移動する錘と、
を備えたことを特徴とする防臭弁装置。
【請求項２】
前記円錐部の外面に取り付けられ、前記立管に嵌合する固定リングを備え、
前記弁体及び錘は少なくともこの固定リングより内側に位置することを特徴とする防臭弁装置。
【請求項３】
前記立管は、既設の防災マンホールであって、直径２００ｍｍの塩化ビニル樹脂製の直管により形成され、この立管を閉塞する鉄蓋は直径２００ｍｍであることを特徴とする防臭弁装置。
【考案の詳細な説明】
【技術分野】
【０００１】
本考案は、仮設トイレなどに設けられる防臭弁装置に関する。
【背景技術】
【０００２】
例えば、特許文献１には、地震などの災害が発生したときに、屋外のマンホールを一例とする立管と仮設トイレとを接続するための仮設トイレ設置用の管継手が開示されている。この種の管継手１０２は、図７に示すように、立管１０１、即ちマンホールなどに設置した際にマンホール穴の縁面１０１Ａから下方に向かって延びた筒状部１０３と、この筒状部１０３に嵌め込まれ、上方に突出して仮設トイレに接続されるインクリーザー継手１０４とよりなるものである。これにより、インクリーザー継手１０４の上部に接続された仮設トイレから排出された汚水や汚物などのし尿を、管継手１０２を介して立管１０１に流すことができる。なお、立管１０１の防臭機構は、管継手１０２の筒状部１０３下端に防臭弁１０５を取り付けることにより、立管１０１内の悪臭などが外部に漏れることを抑制していた。
【０００３】
この防臭弁１０５は、筒状部１０３の下面開口を開閉可能とするため、筒状部１０３下部外周面側に取り付けられた一対の支持部材１０６と、この一対の支持部材１０６にて回動自在に支持する支持軸１０７と、この支持軸１０７を中心に揺動可能に設けられ、前記筒状部１０３の下面開口を閉塞する弁体１０８と、この弁体１０８と前記支持軸１０７を挟んで反対側に位置する錘１０９とよりなるものである。
【０００４】
この錘１０９は、支持軸１０７の軸線に対して弁体１０８と反対側に配置され、支持軸１０７を介して支持部材１０６に揺動可能に支持されている。また、弁体１０８は軸線の左側に配置され、錘１０９は軸線の右側に配置されている。ここでは、錘１０９は弁体１０８の取付部１０８Ａに取り付け可能に取り付けられており、ボルトおよびワッシャーによって固定されている。
【０００５】
この錘１０９の重量は、弁体１０８の重量よりも大きい。そのため、例えば弁体１０８の上にし尿が溜まっていない状態では、弁体１０８には軸線周りに上向きの力が作用する。そのため、図７に示すように、弁体１０８は閉じた状態となる。他方、例えば弁体１０８の上にし尿が溜まり、し尿および弁体１０８の重量が錘１０９の重量よりも大きくなると、弁体１０８は軸線周りに下向きの力が作用する。その結果、弁体１０８は軸線周りに下向きに回転するため、図７中二点鎖線に示す如く弁体１０８は開かれる。
【先行技術文献】
【特許文献】
【０００６】
【特許文献１】特開２０２０―９０８３３号公報
【考案の概要】
【考案が解決しようとする課題】
【０００７】
しかしながら、この特許文献１に開示されている防臭弁１０５は、図７中右側の二点鎖線（錘１０９の軌道）で示すように、開閉時に錘１０９が揺動する関係上、錘１０９と立管１０１との間に錘１０９が干渉しないように所定のスペースを設ける必要があった。特に限られたスペースの立管１０１内に設置しなければならないため、施工上の不具合が発生するという問題点があった。
【０００８】
本考案は、このような問題点に鑑みてなされたもので、錘と設置壁面とのスペースが小さくても不具合なく動作可能とし、施工上の不具合の発生を極力防止する防臭弁を提供することを目的とする。
【課題を解決するための手段】
【０００９】
本考案の請求項１にかかる防臭弁装置は、
トイレの設置場所に設けられ、便器と立管とを接続する継手と、この継手の下部に設けられ、立管内の悪臭などが外部に漏れることを抑制する弁体とを備える防臭弁装置において、
前記継手は、前記便器を接続する上筒状部と、
この上筒状部の下端に設けられ、下方に絞るよう円錐状をなす円錐部と、
この円錐部の下端に設けられ前記上筒状部より小径で、下面が開口した下筒状部とよりなり、
この下筒状部の下面開口を閉塞するための閉塞部を有し、支持軸にて揺動可能に取り付けられた弁体と、
この弁体の支持軸を挟んで閉塞部とは反対側に、揺動可能に取り付けられ、弁体の開閉動作に伴い上下方向に移動する錘と、
を備えたことを特徴とする。
【００１０】
本考案の請求項２にかかる防臭弁装置は、
前記円錐部の外面に取り付けられ、前記立管に嵌合する固定リングを備え、前記弁体及び錘は少なくともこの固定リングより内側に位置することを特徴とする。
【００１１】
本考案の請求項３にかかる防臭弁装置は、
前記立管は、既設の防災マンホールであって、直径２００ｍｍの塩化ビニル樹脂製の直管により形成され、この立管を閉塞する鉄蓋は直径２００ｍｍであることを特徴とする。
【考案の効果】
【００１２】
本考案の防臭弁装置は、トイレの設置場所に設けられ、便器と立管とを接続する継手と、この継手の下部に設けられ、立管内の悪臭などが外部に漏れることを抑制する弁体とを備える防臭弁装置において、前記継手は、前記便器を接続する上筒状部と、この上筒状部の下端に設けられ、下方に絞るよう円錐状をなす円錐部と、この円錐部の下端に設けられ前記上筒状部より小径で、下面が開口した下筒状部とよりなり、この下筒状部の下面開口を閉塞するための閉塞部を有し、支持軸にて揺動可能に取り付けられた弁体と、この弁体の支持軸を挟んで閉塞部とは反対側に、揺動可能に取り付けられ、弁体の開閉動作に伴い上下方向に移動する錘とを備えるものである。このように、錘の移動は上下方向だけであるため、弁体の開閉時に錘が立管に干渉することを防止できる。
【００１３】
また、これら弁体及び錘は、少なくとも前記円錐部の外面に取り付けられ、前記立管に嵌合する固定リングより内側に位置するため、固定リングが嵌合する立管であれば弁体の開閉動作に伴い上下動する錘が立管に干渉することがないため、施工上の不具合が発生する恐れを極力防止できるものである。
【００１４】
更に、前記立管は、既設の防災マンホールであって、直径２００ｍｍの塩化ビニル樹脂製の直管により形成され、この立管の直径にあわせた直径２００ｍｍの鉄蓋で閉塞しているため、トイレを設置する際には、通常閉塞している鉄蓋を外すだけで、何らの特別な追加部品等を必要とせずに設置が可能となるものであるため、迅速に設置することができるものである。
【００１５】
このように、本考案によれば、補助部材や特殊部材などの特別な追加部品を用意する必要がなく、経済的に消臭対策を行うことが可能となるものである。
【図面の簡単な説明】
【００１６】
【図１】図１は本考案の防臭弁装置の部品を分解した正面図である。
【図２】図２は本考案の防臭弁装置の部品を分解した側面図である。
【図３】図３は本考案の防臭弁装置の弁体閉状態を示す正面図である。
【図４】図４は本考案の防臭弁装置の弁体閉状態を示す側面図である。
【図５】図５は本考案の防臭弁装置の弁体開状態を示す正面図である。
【図６】図６は本考案の防臭弁装置の弁体開状態を示す側面図である。
【図７】図７は従来の防臭弁装置の側断面図である。
【考案を実施するための形態】
【００１７】
本考案の防臭弁装置は、地震などの災害が発生したときに、屋外の防災マンホールを一例とする立管１と仮設トイレの便器（図示せず）とを接続するための継手２の下部に設けられているものである。立管１は、例えば、直径２００ｍｍの塩化ビニル樹脂製の直管により形成され、地中に埋設されて上下に延びたもので、この立管１の下端には、立管１と下水本管とを繋ぐ他の管路が接続されている。この他の管路は、複数の管、ます、継手などによって構成されていてもよいし、１つの管によって構成されていてもよい。また、マンホールは地表に開口部を有しているものであり、通常、マンホールの開口は、人が誤って落ちないように、立管１に合わせて直径２００ｍｍの鉄蓋が開口を閉塞しており、仮設トイレを設置する際には、この鉄蓋を取り外して使用するものである。
以下、図面を参照して本考案の実施例１を詳述する。
【実施例１】
【００１８】
図１及び２は、本考案の防臭弁装置を備えたインクリーザー継手２の分解図を示しており、このインクリーザー継手２は塩化ビニル樹脂などの合成樹脂で形成されており、便器を接続する上筒状部３と、この上筒状部３の下端に設けられ、下方に絞るよう円錐状をなす円錐部４と、この円錐部４の下端に設けられ前記上筒状部３より小径で、下面が開口した下筒状部５とよりなるものである。
【００１９】
また、下筒上部５の下部には、下筒状部５外面に一対のブラケット６、６が設けられていると共に、下筒状部５の下面開口５Ａを閉塞するための弁体７が設けられている。この弁体７は弁体支持軸８が前記ブラケット６に回動自在に軸通することにより揺動可能に取り付けられている。
【００２０】
この弁体７は前記下面開口５Ａを塞ぐ、アクリル樹脂製で開口５Aより大きい円板状の閉塞部７Ａと、この閉塞部７Ａに取り付けられ、一方向に延在するステンレス製の取付部７Ｂとよりなるものである。なお、本実施例では、この弁体７は閉塞部７Ａと取付部７Ｂの二部品で構成されているが一体に構成してもよく、材質もアクリル樹脂、塩化ビニル樹脂などの合成樹脂製でもよいし、アルミ、ステンレス板などの金属製でもよい。
【００２１】
更に、前記弁体７の取付部７Ｂには、上方向に突出し、前記ブラケット６と重なって、このブラケット６と共に前記弁体支持軸８が回動可能に取り付けられる一対の弁体支持部７Ｃと、下方向に突出し、後述する錘９を揺動可能に軸支するための一対の錘支持部７Ｄとが設けられているものである。この錘支持部７Ｄは弁体７が弁体支持部７Ｃを軸に揺動するため、弁体支持部７Ｃより後方、即ち閉塞部７Ａとは反対方向にずれて設けられている。
【００２２】
錘９は上下方向に長い直方体に形成されており、前記立管１内の内壁に干渉することなく上下方向に移動可能としている。錘９の形状は直方体に限定されるものではなく、立管１内の内壁に干渉しなければいかなる形状でも問題ない。また、この錘９の上部には、一対の前記錘支持部７Ｄと重なって、この錘支持部７Ｄと共に錘支持軸１０が回動可能に軸通する一対のアーム９Ａ、９Ａが設けられている。
【００２３】
また、インクリーザー継手２の円錐部４の外周面には、固定リング１１が取り付けられており、この固定リング１１を前記立管１に嵌合することにより設置するものである。このため、インクリーザー継手２の下筒状部５、弁体７などは立管１内に位置することとなる。このような位置関係において、前記下筒状部５、ブラケット６、弁体７、錘９などを、弁体７の開閉状態に関わらずこの固定リング１１の円周より内側に位置させることにより、立管１の内壁に干渉することを極力防止できるものである。
【００２４】
以上の構成にして、本考案の防臭弁装置の動作を図３乃至図６を参照して説明する。図３、４はインクリーザー継手２（下筒状部５）の下面開口５Ａを弁体７が閉塞している状態、即ち、立管１内の悪臭などがインクリーザー継手２を通して外部に漏れることを抑制している状態を示し、図５、６はインクリーザー継手２（下筒状部５）の下面開口５Ａを弁体７が解放している状態、即ち、汚水や汚物などのし尿を立管１内に流す状態を示している。
【００２５】
まず、図１及び図２に示す本考案の防臭弁装置を備えたインクリーザー継手２を設置する場合、図３、４に示す如く、インクリーザー継手２（下筒状部５）の下面開口５Ａが弁体７で閉塞されている状態で、マンホールなどの立管１に差し込む。この際、立管１の大きさに合わせてある円錐部４の固定リング１１により適正な施工を容易に行うことができる。そして、インクリーザー継手２を立管１に設置した後は、このインクリーザー継手２の上筒状部３に便器を接続し、仮設トイレが完成することとなる、
【００２６】
設置したトイレを使用する場合、便器からのし尿がインクリーザー継手２に流れ込み弁体７の閉塞部７Ａに溜まる。すると、し尿及び閉塞部７Aの重さが錘９より重くなり、弁体７の閉塞部７Aが下方に開いて下筒状部５の下面開口５Ａを解放することとなる。これに伴い、弁体支持軸６を挟んで弁体７の閉塞部７Aとは反対側の取付部７Ｂに取り付けられた錘９が上方向に移動し、し尿は立管１に排出されることとなる。なお図５、６の状態は弁体７の閉塞部７Aが最大に開いた状態を示しており、通常、この状態になる前に、し尿が立管１に流れて弁体７の閉塞部７Aが錘９より軽くなるため、元の図３、４の待機状態に戻るものである。
【００２７】
以上詳述した如く、本考案の防臭弁装置によれば、トイレの設置場所に設けられ、便器と立管１とを接続するインクリーザー継手２と、このインクリーザー継手２の下部に設けられ、立管１内の悪臭などが外部に漏れることを抑制する弁体７とを備える防臭弁装置において、前記インクリーザー継手２は、前記便器を接続する上筒状部３と、この上筒状部３の下端に設けられ、下方に絞るよう円錐状をなす円錐部４と、この円錐部４の下端に設けられ前記上筒状部３より小径で、下面が開口５Aした下筒状部５とよりなり、この下筒状部５の下面開口５Aを閉塞するための閉塞部７Aを有し、弁体支持軸８にて揺動可能に取り付けられた弁体７と、この弁体７の弁体支持軸８を挟んで閉塞部７Aとは反対側に、揺動可能に取り付けられ、弁体７の開閉動作に伴い上下方向に移動する錘９とを備えるものである。このように、錘９の移動は上下方向だけであるため、弁体７の開閉時に錘９が立管１に干渉することを防止できる。
【００２８】
また、これら弁体７及び錘９は、少なくとも前記円錐部４の外面に取り付けられ、前記立管１に嵌合する固定リング１１より内側に位置するため、固定リング１１が嵌合する立管１であれば弁体７の開閉動作に伴い上下動する錘９が立管１に干渉することがないため、施工上の不具合が発生する恐れを極力防止できるものである。
【００２９】
更に、前記立管１は、既設の防災マンホールであって、直径２００ｍｍの塩化ビニル樹脂製の直管により形成され、この立管１の直径にあわせた直径２００ｍｍの鉄蓋で閉塞しているため、仮設トイレを設置する際には、通常閉塞している鉄蓋を外すだけで、何らの特別な追加部品等を必要とせずに設置が可能となるものであるため、迅速に設置することができるものである。
【００３０】
このように、本考案によれば、補助部材や特殊部材などの特別な追加部品を用意する必要がなく、経済的に消臭対策を行うことが可能となるものである。
【００３１】
なお、本考案を採用した防災用トイレは、便器の便座高さが下から４０〜５０センチメートルであるが、インクリーザー継手２が上下に１０センチメートル程度の範囲で高さを変更できるため、座面の高さもインクリーザー継手２の高さ変更に伴って上下することとなる。
【符号の説明】
【００３２】
１  立管
２  インクリーザー継手
３  上筒状部
４  円錐部
５  下筒状部
５A  下面開口
７  弁体
７A  閉塞部
７B  取付部
８  弁体支持軸
９  錘
１１  固定リング
【図１】
0003231662.tif 000003
【図２】
0003231662.tif 000004
【図３】
0003231662.tif 000005
【図４】
0003231662.tif 000006
【図５】
0003231662.tif 000007
【図６】
0003231662.tif 000008
【図７】
0003231662.tif 000009
【手続補正書】
【提出日】令和3年1月22日(2021.1.22)
【手続補正１】
【補正対象書類名】実用新案登録請求の範囲
【補正対象項目名】全文
【補正方法】変更
【補正の内容】
【実用新案登録請求の範囲】
【請求項１】
トイレの設置場所に設けられ、便器と立管とを接続する継手と、該継手の下部に設けられ、立管内の悪臭などが外部に漏れることを抑制する弁体とを備える防臭弁装置において、
前記継手は、便器を接続する上筒状部と、
該上筒状部の下端に設けられ、下方に絞るよう円錐状をなす円錐部と、
該円錐部の下端に設けられ前記上筒状部より小径で、下面が開口した下筒状部とよりなり、
該下筒状部の下面開口を閉塞するための閉塞部を有し、支持軸にて揺動可能に取り付けられた弁体と、
該弁体の支持軸を挟んで閉塞部とは反対側に、揺動可能に取り付けられ、弁体の開閉動作に伴い上下方向に移動する錘と、
を備えたことを特徴とする防臭弁装置。
【請求項２】
前記円錐部の外面に取り付けられ、前記立管に嵌合する固定リングを備え、
前記弁体及び錘は少なくともこの固定リングより内側に位置することを特徴とする請求項１に記載の防臭弁装置。
【請求項３】
前記立管は、既設の防災マンホールであって、直径２００ｍｍの塩化ビニル樹脂製の直管により形成され、この立管を閉塞する鉄蓋は直径２００ｍｍであることを特徴とする請求項１又は２のいずれかに記載の防臭弁装置。